(57)【要約】【課題】  照明効率が高く、比較的小型で、被写体に与える熱的ダメージが少なく、ランニングコストが低廉で、色温度の制御が可能であるとともに、被写体を均一にムラなく照明することができる、ＬＥＤ照明装置、及び、それを備えた撮像装置を提供する。【解決手段】  本発明のＬＥＤ照明装置１は、赤色ＬＥＤ５Ｒと緑色ＬＥＤ５Ｇと青色ＬＥＤ５ＢとからなるＬＥＤモジュール３を複数備えて、複数のＬＥＤモジュール３をリング状に配設してなるＬＥＤモジュール群２を具備する。【選択図】        図１
2006251422.tif 000002
【特許請求の範囲】
【請求項１】
赤色ＬＥＤと緑色ＬＥＤと青色ＬＥＤとからなるＬＥＤモジュールを複数備えて、
前記複数のＬＥＤモジュールをリング状に配設してなるＬＥＤモジュール群を具備したことを特徴とするＬＥＤ照明装置。
【請求項２】
前記ＬＥＤモジュール群は、前記ＬＥＤモジュールの単色照射領域及び２色混色照射領域が隣接する前記ＬＥＤモジュールによって３色混色照射領域となるように配設されたことを特徴とする請求項１に記載のＬＥＤ照明装置。
【請求項３】
前記ＬＥＤモジュールは、前記赤色ＬＥＤと前記緑色ＬＥＤと前記青色ＬＥＤとが一定の配列方向に配列されたものであって、
前記ＬＥＤモジュール群は、前記複数のＬＥＤモジュールのそれぞれの前記配列方向がリングの円周方向に沿うように配設したものであることを特徴とする請求項１又は請求項２に記載のＬＥＤ照明装置。
【請求項４】
前記ＬＥＤモジュールは、前記赤色ＬＥＤと前記緑色ＬＥＤと前記青色ＬＥＤとが一定の配列順位で配列されたものであって、
前記ＬＥＤモジュール群は、前記複数のＬＥＤモジュールのそれぞれの前記配列順位がリングの円周方向に対して同方向になるように配設したものであることを特徴とする請求項３に記載のＬＥＤ照明装置。
【請求項５】
前記ＬＥＤモジュールは、前記赤色ＬＥＤと前記緑色ＬＥＤと前記青色ＬＥＤとが一定の配列方向に配列されたものであって、
前記ＬＥＤモジュール群は、前記複数のＬＥＤモジュールのそれぞれの前記配列方向がリングの半径方向に沿うように配設したものであることを特徴とする請求項１又は請求項２に記載のＬＥＤ照明装置。
【請求項６】
前記赤色ＬＥＤと前記緑色ＬＥＤと前記青色ＬＥＤとの配列順位が異なる複数種類の前記ＬＥＤモジュールを備え、
前記ＬＥＤモジュール群は、隣接する前記ＬＥＤモジュール同士の前記配列順位がリングの半径方向に対して異なるように前記複数種類のＬＥＤモジュールを配設したものであることを特徴とする請求項５に記載のＬＥＤ照明装置。
【請求項７】
前記ＬＥＤモジュール群は、前記複数のＬＥＤモジュールを等間隔に配設したものであることを特徴とする請求項１〜請求項６のいずれかに記載のＬＥＤ照明装置。
【請求項８】
前記ＬＥＤモジュール群を同心円状に複数具備したことを特徴とする請求項１〜請求項７のいずれかに記載のＬＥＤ照明装置。
【請求項９】
前記複数のＬＥＤモジュール群は、前記複数のＬＥＤモジュールを放射状に等間隔に配設したものであることを特徴とする請求項８に記載のＬＥＤ照明装置。
【請求項１０】
請求項１〜請求項９のいずれかに記載のＬＥＤ照明装置を備えたことを特徴とする撮像装置。
【発明の詳細な説明】
【技術分野】
【０００１】
この発明は、赤色ＬＥＤと緑色ＬＥＤと青色ＬＥＤとを備えたストロボ装置等のＬＥＤ照明装置と、それを備えたカメラ等の撮像装置とに関するものである。
【背景技術】
【０００２】
従来から、カメラ等の撮像装置では、被写体を均一に照明するために、蛍光灯やランプをリング状に形成したストロボ装置（照明装置）が知られている（例えば、特許文献１等参照。）。
リング状蛍光灯やリング状ランプからなるストロボ装置は、リングの中心に対応する位置に設置された被写体を、全周方向から照明することになる。そして、ストロボ装置によって照明された被写体が、リングの中心に配設されたレンズを介して撮像装置によって撮影されることになる。
【０００３】
一方、特許文献２等には、蛍光灯やランプを用いたストロボ装置に替わる高機能なストロボ装置（照明装置）として、赤色ＬＥＤと緑色ＬＥＤと青色ＬＥＤとを備えたＬＥＤ照明装置が開示されている。
【０００４】
【特許文献１】特開平９−１０１５５６号公報
【特許文献２】特開２００３−２１５６７４号公報
【発明の開示】
【発明が解決しようとする課題】
【０００５】
上述した従来のリング状蛍光灯やリング状ランプからなるストロボ装置は、種々の問題があった。
リング状蛍光灯の場合には、蛍光灯の一部に発光しない領域があるために、照明効率の向上に限界があった。また、装置が大型化する可能性が高かった。
リング状ランプの場合には、ランプの発熱量が高いために、被写体に熱的ダメージを与えてしまう可能性が高かった。
【０００６】
また、リング状蛍光灯とリング状ランプとに共通する問題としては、寿命が比較的短く、消費電流も高いというものがあった。このため、従来のストロボ装置は、ランニングコストが高価なものになっていた。さらに、リング状蛍光灯及びリング状ランプは、照明光の色温度（青紫光と赤色光との相対的な強さである。）を制御しにくいという問題もあった。
【０００７】
一方、上述の特許文献２等の技術は、蛍光灯やランプの替わりに赤色ＬＥＤ、緑色ＬＥＤ、青色ＬＥＤを用いてストロボ装置（照明装置）を構成しているために、上述の問題をある程度解決する効果が期待できる。しかし、被写体を均一にムラなく照明することは難しかった。
【０００８】
この発明は、上述のような課題を解決するためになされたもので、照明効率が高く、比較的小型で、被写体に与える熱的ダメージが少なく、ランニングコストが低廉で、色温度の制御が可能であるとともに、被写体を均一にムラなく照明することができる、ＬＥＤ照明装置、及び、それを備えた撮像装置を提供することにある。
【課題を解決するための手段】
【０００９】
この発明の請求項１記載の発明にかかるＬＥＤ照明装置は、赤色ＬＥＤと緑色ＬＥＤと青色ＬＥＤとからなるＬＥＤモジュールを複数備えて、前記複数のＬＥＤモジュールをリング状に配設してなるＬＥＤモジュール群を具備したものである。
【００１０】
また、請求項２記載の発明にかかるＬＥＤ照明装置は、前記請求項１に記載の発明において、前記ＬＥＤモジュール群は、前記ＬＥＤモジュールの単色照射領域及び２色混色照射領域が隣接する前記ＬＥＤモジュールによって３色混色照射領域となるように配設されたものである。
【００１１】
また、請求項３記載の発明にかかるＬＥＤ照明装置は、前記請求項１又は請求項２に記載の発明において、前記ＬＥＤモジュールは、前記赤色ＬＥＤと前記緑色ＬＥＤと前記青色ＬＥＤとが一定の配列方向に配列されたものであって、前記ＬＥＤモジュール群は、前記複数のＬＥＤモジュールのそれぞれの前記配列方向がリングの円周方向に沿うように配設したものである。
【００１２】
また、請求項４記載の発明にかかるＬＥＤ照明装置は、前記請求項３に記載の発明において、前記ＬＥＤモジュールは、前記赤色ＬＥＤと前記緑色ＬＥＤと前記青色ＬＥＤとが一定の配列順位で配列されたものであって、前記ＬＥＤモジュール群は、前記複数のＬＥＤモジュールのそれぞれの前記配列順位がリングの円周方向に対して同方向になるように配設したものである。
【００１３】
また、請求項５記載の発明にかかるＬＥＤ照明装置は、前記請求項１又は請求項２に記載の発明において、前記ＬＥＤモジュールは、前記赤色ＬＥＤと前記緑色ＬＥＤと前記青色ＬＥＤとが一定の配列方向に配列されたものであって、前記ＬＥＤモジュール群は、前記複数のＬＥＤモジュールのそれぞれの前記配列方向がリングの半径方向に沿うように配設したものである。
【００１４】
また、請求項６記載の発明にかかるＬＥＤ照明装置は、前記請求項５に記載の発明において、前記赤色ＬＥＤと前記緑色ＬＥＤと前記青色ＬＥＤとの配列順位が異なる複数種類の前記ＬＥＤモジュールを備え、前記ＬＥＤモジュール群は、隣接する前記ＬＥＤモジュール同士の前記配列順位がリングの半径方向に対して異なるように前記複数種類のＬＥＤモジュールを配設したものである。
【００１５】
また、請求項７記載の発明にかかるＬＥＤ照明装置は、前記請求項１〜請求項６のいずれかに記載の発明において、前記ＬＥＤモジュール群は、前記複数のＬＥＤモジュールを等間隔に配設したものである。
【００１６】
また、請求項８記載の発明にかかるＬＥＤ照明装置は、前記請求項１〜請求項７のいずれかに記載の発明において、前記ＬＥＤモジュール群を同心円状に複数具備したものである。
【００１７】
また、請求項９記載の発明にかかるＬＥＤ照明装置は、前記請求項８に記載の発明において、前記複数のＬＥＤモジュール群は、前記複数のＬＥＤモジュールを放射状に等間隔に配設したものである。
【００１８】
また、この発明の請求項１０記載の発明にかかる撮像装置は、請求項１〜請求項９のいずれかに記載のＬＥＤ照明装置を備えたものである。
【発明の効果】
【００１９】
本発明は、３色のＬＥＤからなるＬＥＤモジュールを複数備えて、それらをリング状に配設している。これによって、照明効率が高く、比較的小型で、被写体に与える熱的ダメージが少なく、ランニングコストが低廉で、色温度の制御が可能であるとともに、被写体が均一にムラなく照明される、ＬＥＤ照明装置、及び、それを備えた撮像装置を提供することができる。
【発明を実施するための最良の形態】
【００２０】
以下、この発明を実施するための最良の形態について、図面を参照して詳細に説明する。なお、各図中、同一又は相当する部分には同一の符号を付しており、その重複説明は適宜に簡略化ないし省略する。
【００２１】
実施の形態１．
図１〜図５にて、この発明の実施の形態１について詳細に説明する。
まず、図１及び図２にて、本実施の形態１におけるＬＥＤ照明装置１について説明する。図１はＬＥＤ照明装置１を示す正面図であって、図２はＬＥＤ照明装置１に設置されるＬＥＤモジュール３を示す概略図である。
【００２２】
図１に示すように、ＬＥＤ照明装置１は、主として、リング状の台座７と、台座７上にリング状に配設された複数のＬＥＤモジュール３と、で構成されている。ここで、ＬＥＤモジュール３は、図２に示すように、赤色ＬＥＤ５Ｒと緑色ＬＥＤ５Ｇと青色ＬＥＤ５Ｂとが、所定の配列方向（直線的な方向である。）に所定の配列順位（左から赤、緑、青の順位である。）で配列されたものである。
【００２３】
そして、台座７（リング）上に、複数のＬＥＤモジュール２が等間隔にリング状に配設されてなるＬＥＤモジュール群２が形成されている。
ＬＥＤモジュール群２は、各ＬＥＤモジュール３における３つのＬＥＤ５Ｒ、５Ｇ、５Ｂの配列方向がリングの円周方向に沿うように、各ＬＥＤモジュール３を配設したものである。
また、ＬＥＤモジュール群２は、各ＬＥＤモジュール３における３つのＬＥＤ５Ｒ、５Ｇ、５Ｂの配列順位がリングの円周方向に対して同方向になるように、各ＬＥＤモジュール３を配設したものである。すなわち、隣接するＬＥＤモジュール３同士において、隣接するＬＥＤ５の色が同色にならないように、ＬＥＤモジュール群２が構成されている。
【００２４】
このように構成されたＬＥＤ照明装置１は、撮像装置としてのカメラ１０のストロボ装置として用いることができる。
具体的には、図３を参照して、ＬＥＤ照明装置１は、カメラ１０のカメラ本体１１に設置されたレンズ１２の外周を覆うように設置されることになる。そして、カメラ１０での撮影時に、必要に応じて被写体を照明することになる。この場合、ＬＥＤ照明装置１は、光源としてＬＥＤを用いたものであるために、照明効率が高く、比較的小型で、被写体に与える熱的ダメージが少なく、ランニングコストが低廉で、色温度の制御が可能になる。さらに、ＬＥＤ照明装置１は、リング状に構成されているために、被写体を均一にムラなく照明することができる。
【００２５】
以下、図４及び図５を用いて、本実施の形態１におけるＬＥＤ照明装置１が、被写体（又は、被照明体）を均一にムラなく照明することができる理由について説明する。
図４を参照して、ＬＥＤモジュール３において、３色のＬＥＤ５Ｒ、５Ｇ、５Ｂからそれぞれ照射される光の照射角度は一定であって、それぞれの照射領域ＬＲ、ＬＧ、ＬＢがずれて３色が混色されない領域が存在する。
【００２６】
すなわち、図５を参照して、１つのＬＥＤモジュール３による照射領域は、赤色のみの単色照射領域Ｓ１と、赤色と緑色との２色が混色された２色混色照射領域Ｄ１と、３色が混色された３色混色照射領域Ｔ（白色領域である。）と、緑色と青色との２色が混色された２色混色照射領域Ｄ２と、青色のみの単色照射領域Ｓ２と、に分類されることになる。すなわち、１つのＬＥＤモジュール３では、ムラのない良好な照明をおこなうために必要な白色領域Ｔの他に、２つの単色照射領域Ｓ１、Ｓ２と、２つの２色混色照射領域Ｄ１、Ｄ２と、が形成されてしまう。
【００２７】
本実施の形態１のＬＥＤ照明装置１は、リング状のＬＥＤモジュール群２が形成されているために、１つのＬＥＤモジュール３に対してその両側にそれぞれ別のＬＥＤモジュール３が配設されることになる。これにより、１つのＬＥＤモジュール３で形成される単色照射領域Ｓ１、Ｓ２及び２色混色照射領域Ｄ１、Ｄ２に対して、両端のＬＥＤモジュール３で形成される単色照射領域Ｓ１、Ｓ２、白色領域Ｔ、２色混色照射領域Ｄ１、Ｄ２によって不足した色の補填がされることになる（図５の破線に示す片側の照射領域ＬＲ、ＬＧ、ＬＢを参照できる。）。これにより、ＬＥＤ照明装置１の全体として、単色照射領域と２色混色照射領域とが狭小化されて、白色領域Ｔの占有面積が増加することになる。すなわち、被写体（又は、被照明体）を均一にムラなく照明することが可能になる。
【００２８】
以上説明したように、本実施の形態１では、３色のＬＥＤ５Ｒ、５Ｇ、５ＢからなるＬＥＤモジュール３を複数備えて、それらをリング状に配設している。これによって、照明効率が高く、比較的小型で、被写体に与える熱的ダメージが少なく、ランニングコストが低廉で、色温度の制御が可能であるとともに、被写体を均一にムラなく照明することができる。
【００２９】
なお、本実施の形態１では、ＬＥＤモジュール３におけるＬＥＤ５の配列順位を、赤色ＬＥＤ５Ｒ、緑色ＬＥＤ５Ｇ、青色ＬＥＤ５Ｂの順とした。しかし、ＬＥＤモジュール３におけるＬＥＤ５の配列順位はこれに限定されることなく、例えば、配列順位を赤色ＬＥＤ５Ｒ、青色ＬＥＤ５Ｂ、緑色ＬＥＤ５Ｇの順とすることもできる。この場合にも、本実施の形態１と同様の効果を得ることができる。
【００３０】
実施の形態２．
図６にて、この発明の実施の形態２について詳細に説明する。
図６は、実施の形態２におけるＬＥＤ照明装置１を示す正面図であって、前記実施の形態１における図１に相当する図である。本実施の形態２のＬＥＤ照明装置１は、複数のＬＥＤモジュール群２Ａ、２Ｂが設けられている点が、前記実施の形態１のものとは相違する。
【００３１】
図６に示すように、実施の形態２のＬＥＤ照明装置１は、２つのＬＥＤモジュール群２Ａ、２Ｂが台座７（リング）に対して同心円状に配設されたものである。２つのＬＥＤモジュール群２Ａ、２Ｂは、それぞれ、各ＬＥＤモジュール３をその配列方向がリングの円周方向に沿うように配設するとともに、その配列順位がリングの円周方向に対して同方向になるように配設したものである。また、内側のＬＥＤモジュール群２Ａの各ＬＥＤモジュール３に対して、外側のＬＥＤモジュール群２Ｂの各ＬＥＤモジュール３は、それぞれ放射状に等間隔（等角度）になるように配設されている。
【００３２】
このような構成によって、台座７上におけるＬＥＤモジュール３の設置数を増加させた場合であっても、２つのＬＥＤモジュール群２Ａ、２Ｂにおける各ＬＥＤモジュール３が相互に単色照射領域及び２色混色照射領域を捕色することになる。これにより、ＬＥＤ照明装置１の全体として、白色領域Ｔの占有面積が増加して、被写体（又は、被照明体）を均一にムラなく照明することが可能になる。
【００３３】
以上説明したように、本実施の形態２でも、前記実施の形態１と同様に、３色のＬＥＤ５Ｒ、５Ｇ、５ＢからなるＬＥＤモジュール３を複数備えて、それらをリング状に配設している。これによって、照明効率が高く、比較的小型で、被写体に与える熱的ダメージが少なく、ランニングコストが低廉で、色温度の制御が可能であるとともに、被写体を均一にムラなく照明することができる。
【００３４】
実施の形態３．
図７及び図８にて、この発明の実施の形態３について詳細に説明する。
図７は、実施の形態３におけるＬＥＤ照明装置１を示す正面図であって、前記実施の形態１における図１に相当する図である。図８は、その一部についての部分拡大図である。本実施の形態３のＬＥＤ照明装置１は、ＬＥＤモジュール群２を構成するＬＥＤモジュール３の配列が前記実施の形態１のものとは相違する。
【００３５】
図７に示すように、ＬＥＤ照明装置１は、主として、リング状の台座７と、台座７上にリング状に配設された複数のＬＥＤモジュール３Ａ、３Ｂと、で構成されている。
ここで、ＬＥＤモジュール群２は、各ＬＥＤモジュール３Ａ、３ＢのＬＥＤ５の配列方向がリングの半径方向（円周方向に直交する方向である。）に沿うように、各ＬＥＤモジュール３Ａ、３Ｂを配設したものである。
【００３６】
また、図８を参照して、ＬＥＤモジュール群２は、隣接するＬＥＤモジュール３Ａ、３Ｂ同士のＬＥＤ５の配列順位が、リングの半径方向に対して逆になるように、各ＬＥＤモジュール３を配設したものである。すなわち、リング内側から赤色ＬＥＤ５Ｒ、緑色ＬＥＤ５Ｇ、青色ＬＥＤ５Ｂの配列順位となっている第１のモジュール３Ａと、リング内側から青色ＬＥＤ５Ｂ、緑色ＬＥＤ５Ｇ、赤色ＬＥＤ５Ｒの配列順位となっている第２のモジュール３Ｂと、が円周方向に交互に配設されている。隣接するＬＥＤモジュール３Ａ、３Ｂ同士において、隣接するＬＥＤ５の色ができるだけ同色にならないように、ＬＥＤモジュール群２が構成されている。
【００３７】
このような構成によって、ＬＥＤモジュール群２における各ＬＥＤモジュール３Ａ、３Ｂが相互に単色照射領域及び２色混色照射領域を捕色することになる。これにより、ＬＥＤ照明装置１の全体として、白色領域Ｔの占有面積が増加して、被写体（又は、被照明体）を均一にムラなく照明することが可能になる。
【００３８】
以上説明したように、本実施の形態３でも、前記各実施の形態と同様に、３色のＬＥＤ５Ｒ、５Ｇ、５ＢからなるＬＥＤモジュール３Ａ、３Ｂを複数備えて、それらをリング状に配設している。これによって、照明効率が高く、比較的小型で、被写体に与える熱的ダメージが少なく、ランニングコストが低廉で、色温度の制御が可能であるとともに、被写体を均一にムラなく照明することができる。
【００３９】
なお、本実施の形態３では、実質的に１種類のＬＥＤモジュール（図２に示すものである。）を１８０°反転させることで、配列順位の異なる２種類のＬＥＤモジュール３Ａ、３Ｂとして、リング状のＬＥＤモジュール群２を構成した。これに対して、実質的に２種類のＬＥＤモジュール（例えば、赤、緑、青の配列順位のものと、青、赤、緑の配列順位のものと、である。）をリング状に交互に配設してＬＥＤモジュール群２を構成することもできる。
【００４０】
実施の形態４．
図９にて、この発明の実施の形態４について詳細に説明する。
図９は、実施の形態４におけるＬＥＤ照明装置１を示す正面図であって、前記実施の形態３における図７に相当する図である。本実施の形態４のＬＥＤ照明装置１は、複数のＬＥＤモジュール群２Ａ、２Ｂが設けられている点が、前記実施の形態３のものとは相違する。
【００４１】
図９に示すように、実施の形態４のＬＥＤ照明装置１は、２つのＬＥＤモジュール群２Ａ、２Ｂが台座７に対して同心円状に配設されたものである。２つのＬＥＤモジュール群２Ａ、２Ｂは、それぞれ、各ＬＥＤモジュール３Ａ、３ＢをそのＬＥＤ配列方向がリングの半径方向に沿うように配設するとともに、隣接するＬＥＤモジュール３Ａ、３Ｂ同士の配列順位がリングの半径方向に対して逆になるように配設したものである。また、内側のＬＥＤモジュール群２Ａの各ＬＥＤモジュール３Ａ、３Ｂに対して、外側のＬＥＤモジュール群２Ｂの各ＬＥＤモジュール３Ａ、３Ｂは、それぞれ放射状に等間隔（等角度）に配設されている。また、同一放射線上における、内側のＬＥＤモジュール群２ＡのＬＥＤモジュール３の配列順位と、外側のＬＥＤモジュール群２ＢにおけるＬＥＤモジュール３３の配列順位と、は同等になっている。
【００４２】
このような構成によって、台座７上におけるＬＥＤモジュール３Ａ、３Ｂの設置数を増加させた場合であっても、２つのＬＥＤモジュール群２Ａ、２Ｂにおける各ＬＥＤモジュール３Ａ、３Ｂが相互に単色照射領域及び２色混色照射領域を捕色することになる。これにより、ＬＥＤ照明装置１の全体として、白色領域Ｔの占有面積が増加して、被写体（又は、被照明体）を均一にムラなく照明することが可能になる。
【００４３】
以上説明したように、本実施の形態４でも、前記各実施の形態と同様に、３色のＬＥＤ５Ｒ、５Ｇ、５ＢからなるＬＥＤモジュール３Ａ、３Ｂを複数備えて、それらをリング状に配設している。これによって、照明効率が高く、比較的小型で、被写体に与える熱的ダメージが少なく、ランニングコストが低廉で、色温度の制御が可能であるとともに、被写体を均一にムラなく照明することができる。
【００４４】
なお、本発明が前記各実施の形態に限定されず、本発明の技術思想の範囲内において、前記各実施の形態の中で示唆した以外にも、前記各実施の形態は適宜変更され得ることは明らかである。また、前記構成部材の数、位置、形状等は前記各実施の形態に限定されず、本発明を実施する上で好適な数、位置、形状等にすることができる。
【図面の簡単な説明】
【００４５】
【図１】この発明の実施の形態１におけるＬＥＤ照明装置を示す正面図である。
【図２】図１のＬＥＤ照明装置におけるＬＥＤモジュールを示す概略図である。
【図３】図１のＬＥＤ照明装置を備えた撮像装置を示す概略図である。
【図４】ＬＥＤモジュールから照射される３色の光を示す概略図である。
【図５】ＬＥＤモジュールから照射された３色の光による照射領域を示す概略図である。
【図６】この発明の実施の形態２におけるＬＥＤ照明装置を示す正面図である。
【図７】この発明の実施の形態３におけるＬＥＤ照明装置を示す正面図である。
【図８】図７のＬＥＤ照明装置の一部を示す部分拡大図である。
【図９】この発明の実施の形態４におけるＬＥＤ照明装置を示す正面図である。
【符号の説明】
【００４６】
１  ＬＥＤ照明装置、
２、２Ａ、２Ｂ  ＬＥＤモジュール群、
３、３Ａ、３Ｂ  ＬＥＤモジュール、
５Ｒ  赤色ＬＥＤ、  ５Ｇ  緑色ＬＥＤ、  ５Ｂ  青色ＬＥＤ、
７  台座、
１０  カメラ（撮像装置）、  １１  カメラ本体、  １２  レンズ、
ＬＲ、ＬＧ、ＬＲ  照射領域、
Ｓ１、Ｓ２  単色照射領域、
Ｄ１、Ｄ２  ２色混色照射領域、
Ｔ  白色領域（３色混色照射領域）。
【図１】
2006251422.tif 000003
【図２】
2006251422.tif 000004
【図３】
2006251422.tif 000005
【図４】
2006251422.tif 000006
【図５】
2006251422.tif 000007
【図６】
2006251422.tif 000008
【図７】
2006251422.tif 000009
【図８】
2006251422.tif 000010
【図９】
2006251422.tif 000011